(57)【要約】  芳香族炭化水素ホルムアルデヒド樹脂をアルコール類により変性したアルコール類変性芳香族炭化水素ホルムアルデヒド樹脂に、エピハロヒドリンを反応させて得られるエポキシ樹脂を提供する。【特許請求の範囲】
【請求項１】
芳香族炭化水素ホルムアルデヒド樹脂をアルコール類により変性したアルコール類変性芳香族炭化水素ホルムアルデヒド樹脂に、エピハロヒドリンを反応させて得られるエポキシ樹脂。
【請求項２】
２５℃において３０，０００ｍＰａ・ｓ以下の粘度を有する、請求項１に記載のエポキシ樹脂。
【請求項３】
エポキシ当量が３００〜１，２００ｇ／ｅｑ．である、請求項１又は２に記載のエポキシ樹脂。
【請求項４】
重量平均分子量が３００〜１，２００である、請求項１〜３のいずれか１項に記載のエポキシ樹脂。
【請求項５】
アルコール類変性芳香族炭化水素ホルムアルデヒド樹脂の重量平均分子量が２００〜１，０００である、請求項１〜４のいずれか１項に記載のエポキシ樹脂。
【請求項６】
アルコール類変性芳香族炭化水素ホルムアルデヒド樹脂が、アルコール類変性キシレンホルムアルデヒド樹脂を含有する、請求項１〜５のいずれか１項に記載のエポキシ樹脂。
【請求項７】
前記エピハロヒドリンがエピクロロヒドリンである、請求項１〜６のいずれか１項に記載のエポキシ樹脂。
【請求項８】
請求項１〜７のいずれか１項に記載のエポキシ樹脂と、硬化剤とを含有する、エポキシ樹脂組成物。
【請求項９】
請求項８に記載のエポキシ樹脂組成物の硬化物。
【発明の詳細な説明】
【技術分野】
【０００１】
本発明は、エポキシ樹脂、エポキシ樹脂組成物及びその硬化物に関する。
【背景技術】
【０００２】
種々の製品では、部品同士を接合する際に接着剤が用いられている。一般に、接着剤は、種類ごとに粘接着力や粘着耐久性（長時間にわたり高い粘着力を保つ性能）などの性能に長所や短所がある。こうした事情から、接着剤は、用途に応じて種類の使い分けがなされており、例えば、電子部品、ＯＡ機器備品などには難燃性接着剤が、マスキングテープや表面保護フィルムなどには再剥離型接着剤が用いられている。【０００３】
最近、接着剤に対する高機能、高性能化の要求がより一層高まり、構造部材用、鋼板・樹脂等の防食用、表面保護用等の用途で、常温で粘着力を有し、加熱することによって硬化反応が生じ、接着強度が増す接着剤組成物が望まれている。【０００４】
このような課題に対し、エポキシ樹脂と熱可塑性樹脂とを配合してなる熱硬化性接着剤が提案されている。例えば、特許文献１では、エポキシ樹脂などの熱硬化性樹脂と、フェノキシ樹脂などの熱可塑性樹脂とを配合してなる、常温粘着性を有する接着剤を用いた熱硬化性接着シートが提案されている。特許文献２では、常温粘着性であるとともに、加熱硬化により良好な接着特性を示す接着シートが提案されている。【０００５】
一方、熱可塑性樹脂の一種である芳香族炭化水素ホルムアルデヒド樹脂は、非反応性の改質剤及び反応性の改質剤として、エポキシ樹脂、ウレタン樹脂、アクリル樹脂等の主樹脂の密着性などの特性を改善するために広く使用されている。具体的には、芳香族炭化水素ホルムアルデヒド樹脂は、接着剤や粘着剤の粘着付与剤として用いられて、さらにエポキシ樹脂の希釈剤や塩化ビニル樹脂の可塑剤として用いられる。上記の特性を利用して、特許文献３では、芳香族炭化水素ホルムアルデヒド樹脂、所定のビスフェノール型エポキシ樹脂、顔料、及びアミン系硬化剤からなり、密着性及び防食性に優れた塗料組成物が提案されている。【０００６】
芳香族炭化水素ホルムアルデヒド樹脂を含む石油系樹脂から誘導されるエポキシ樹脂がこれまでに報告されている。例えば、特許文献４及び５では、フェノール骨格を有する芳香族炭化水素ホルムアルデヒド樹脂とエピハロヒドリンとを反応させて得られるエポキシ樹脂が提案されている。また、特許文献６では、芳香族炭化水素ホルムアルデヒド樹脂にナフトール及びフェノール類の混合物を反応させて得られるノボラック型フェノール樹脂と、エピハロヒドリンとを反応させて得られるエポキシ樹脂が提案されている。
【先行技術文献】
【特許文献】
【０００７】
【特許文献１】特開昭５７−１２１０７９号公報
【特許文献２】特公平０１−０３１７９６号公報
【特許文献３】特開平０９−０２０８７８号公報
【特許文献４】特開２０１２−２２４７０６号公報（特許第５７１６５１１号）
【特許文献５】特開２０１０−００１４８７号公報（特許第５２７２９６３号）
【特許文献６】特開２００９−１０８１４７号公報
【発明の概要】
【発明が解決しようとする課題】
【０００８】
しかしながら、特許文献１の熱硬化性接着シートでは、加熱硬化時に熱硬化性樹脂と熱可塑性樹脂との間で相分離を起こしやすく、硬化後の接着特性が十分でない。また、特許文献２の接着シートでは、高温条件下で固体樹脂を液状エポキシ樹脂に相溶させるための工程が必要であり、生産性に劣る。【０００９】
特許文献３のように、芳香族炭化水素ホルムアルデヒド樹脂とエポキシ樹脂とを混合することにより、得られる塗料組成物には、接着強度のさらなる向上が求められる。【００１０】
特許文献４〜６のエポキシ樹脂の硬化物は、難燃性、低吸湿性などの諸物性に優れるが、密着性や接着強度のさらなる向上が求められる。また、これらのエポキシ樹脂は固体であるため、取り扱い性が十分ではない。【００１１】
本発明は上記事情に鑑みなされたものであって、粘接着性を向上できるエポキシ樹脂、エポキシ樹脂組成物、及びその硬化物を提供することを目的とする。
【課題を解決するための手段】
【００１２】
本発明者らは鋭意検討した結果、アルコール類変性芳香族炭化水素ホルムアルデヒド樹脂にエピハロヒドリンを反応させて得られる特定のエポキシ樹脂が、上記課題を解決できることを見出し、本発明を完成させるに至った。【００１３】
すなわち、本発明は以下の通りである。
（１）
芳香族炭化水素ホルムアルデヒド樹脂をアルコール類により変性したアルコール類変性芳香族炭化水素ホルムアルデヒド樹脂に、エピハロヒドリンを反応させて得られるエポキシ樹脂。
（２）
２５℃において３０，０００ｍＰａ・ｓ以下の粘度を有する、（１）に記載のエポキシ樹脂。
（３）
エポキシ当量が３００〜１，２００ｇ／ｅｑ．である、（１）又は（２）に記載のエポキシ樹脂。
（４）
重量平均分子量が３００〜１，２００である、（１）〜（３）のいずれか１つに記載のエポキシ樹脂。
（５）
アルコール類変性芳香族炭化水素ホルムアルデヒド樹脂の重量平均分子量が２００〜１，０００である、（１）〜（４）のいずれか１つに記載のエポキシ樹脂。
（６）
アルコール類変性芳香族炭化水素ホルムアルデヒド樹脂が、アルコール類変性キシレンホルムアルデヒド樹脂を含有する、（１）〜（５）のいずれか１つに記載のエポキシ樹脂。
（７）
前記エピハロヒドリンがエピクロロヒドリンである、（１）〜（６）のいずれか１つに記載のエポキシ樹脂。
（８）
（１）〜（７）のいずれか１つに記載のエポキシ樹脂と、硬化剤とを含有する、エポキシ樹脂組成物。
（９）
（８）に記載のエポキシ樹脂組成物の硬化物。
【発明の効果】
【００１４】
本発明によれば、粘接着性を向上できるエポキシ樹脂、エポキシ樹脂組成物、及びその硬化物を提供することができる。
【発明を実施するための形態】
【００１５】
以下、本発明を実施するための形態（以下、単に「本実施形態」という。）について詳細に説明する。以下の本実施形態は、本発明を説明するための例示であり、本発明を以下の内容に限定する趣旨ではない。本発明は、その要旨の範囲内で適宜に変形して実施できる。
【００１６】
本明細書において、「粘接着性」とは、粘着性及び接着性の少なくとも１つを有する特性をいう。
【００１７】
［エポキシ樹脂］
本実施形態のエポキシ樹脂は、アルコール類変性芳香族炭化水素ホルムアルデヒド樹脂（以下、単に「アルコール類変性樹脂」ともいう。）にエピハロヒドリンを反応させて得られるエポキシ樹脂である。本実施形態のエポキシ樹脂は、上記の構成を備えることにより、例えば、硬化剤と常温で反応させると、得られる硬化物は、優れた接着力を有し、硬化剤と加熱反応させると、得られる硬化物（熱硬化物）の接着強度が増す。この要因は、本実施形態のエポキシ樹脂が、芳香族炭化水素ホルムアルデヒド樹脂の固有の特性である優れた柔軟性（柔らかさ）と、エポキシ樹脂の特性である熱硬化性とをバランスよく両立させていることに起因しているものと考えられるが、本発明はこの要因により何ら限定されない。このため、本実施形態のエポキシ樹脂は、特に粘接着剤用として好適に用いることができる。但し、本実施形態のエポキシ樹脂は、粘接着剤用に限定されるものではなく、例えば、封緘材、接続材、固定材、情報表示（ラベル、ステッカー等）の分野に幅広く用いることができる。
【００１８】
本実施形態のエポキシ樹脂は、分析して特定することが困難である構造を有するアルコール類変性芳香族炭化水素ホルムアルデヒド樹脂を原料として得られるため、エポキシ樹脂もまた、その構造を分析して特定することが困難である。
【００１９】
本実施形態のエポキシ樹脂は、常温で液体の形態であることが好ましい。エポキシ樹脂が常温で液状の形態であると、硬化剤と反応させるために溶剤に溶解させるといった工程が不要となり、取扱い性に優れる。さらに、溶剤を必要としないため、例えば、加熱硬化する際の硬化物の収縮を抑制することができる。
本実施形態のエポキシ樹脂の２５℃における粘度は、粘接着性及び取扱い性をより一層向上させる観点から、３０，０００ｍＰａ・ｓ以下であることが好ましく２０，０００ｍＰａ・ｓ以下であることがより好ましく、２００〜２０，０００ｍＰａ・ｓであることがさらに好ましい。
【００２０】
本実施形態のエポキシ樹脂のエポキシ当量は、３００〜１,２００ｇ／ｅｑ．であることが好ましく、３００〜１，０００ｇ／ｅｑ．であることがより好ましく、３５０〜１，０００ｇ／ｅｑ．であることがさらに好ましい。エポキシ当量が３００ｇ／ｅｑ．以上であることにより、より一層取り扱い性に優れる傾向にあり、１，２００ｇ／ｅｑ．以下であることにより、より一層優れた接着性が得られる傾向にあり、上記範囲内であることにより、粘接着性及び取り扱い性をバランスよく向上できる。
【００２１】
本実施形態のエポキシ樹脂のゲルパーミエーションクロマトグラフィー（ＧＰＣ）における重量平均分子量は、ポリスチレン換算で、３００〜１，２００であることが好ましく、３００〜９００であることがより好ましく、４００〜８００であることがさらに好ましい。重量平均分子量が３００以上であることにより、柔軟性がより一層向上する傾向にあり、重量平均分子量が１，２００以下であることにより、取り扱い性により一層優れる傾向にあり、上記範囲内であることにより、柔軟性及び取扱い性をバランスよく向上できる。
【００２２】
本実施形態のエポキシ樹脂中のハロゲンの含有量は、２０００質量ｐｐｍ以下であることが好ましく、１０００質量ｐｐｍ以下であることがより好ましく、７５０質量ｐｐｍ以下であることがさらに好ましい。ハロゲンの含有量は、実施例に記載の方法により測定できる。
【００２３】
［アルコール類変性芳香族炭化水素ホルムアルデヒド樹脂］
本実施形態において、アルコール類変性芳香族炭化水素ホルムアルデヒド樹脂とは、芳香族炭化水素ホルムアルデヒド樹脂をアルコール類により変性したものをいう。
【００２４】
（芳香族炭化水素ホルムアルデヒド樹脂）
本実施形態に用いる芳香族炭化水素ホルムアルデヒド樹脂は、芳香族炭化水素とホルムアルデヒドとを反応させることにより得られる。芳香族炭化水素としては、ベンゼン、トルエン、キシレン、メシチレン、エチルベンゼン、プロピルベンゼン、デシルベンゼン、シクロヘキシルベンゼン、ビフェニル、メチルビフェニル、ナフタレン、メチルナフタレン、ジメチルナフタレン、エチルナフタレン、アントラセン、メチルアントラセン、ジメチルアントラセン、エチルアントラセン、及びビナフチルからなる群より選ばれる少なくとも１種が挙げられる。粘接着性により一層優れる観点から、キシレン、トルエン、及びメシチレンからなる群より選ばれる少なくとも１種であることが好ましく、キシレンであることがより好ましい。すなわち、本実施形態に用いる芳香族炭化水素ホルムアルデヒド樹脂は、上記と同様の観点から、キシレンとホルムアルデヒドとを反応させることにより得られるキシレンホルムアルデヒド樹脂、トルエンとホルムアルデヒドとを反応させることにより得られるトルエンホルムアルデヒド樹脂、及びメシチレンとホルムアルデヒドとを反応させることにより得られるメシチレンホルムアルデヒド樹脂から選ばれる少なくとも１種を含むことが好ましく、キシレンホルムアルデヒド樹脂を含むことがより好ましい。
【００２５】
芳香族炭化水素ホルムアルデヒド樹脂は、市販品を用いてもよく、公知の方法により調製してもよい。市販品としては、例えば、フドー株式会社製の「ニカノールＬＬ」が挙げられる。公知の方法としては、例えば、特公昭３７−５７４７号公報などに記載された方法により、芳香族炭化水素及びホルムアルデヒドを、触媒の存在下で縮合反応させる方法が挙げられる。
【００２６】
（アルコール類）
アルコール類としては、脂肪族多価アルコールが好ましい。脂肪族多価アルコールとしては、特に限定されないが、トリメチロールプロパン、ネオペンチルグリコール、エステルグリコール、スピログリコール、ペンタエリスリトール、エチレングリコール、ジエチレングリコール、ジプロピレングリコール、１，２−ブタンジオール、１，３−ブタンジオール、１，４−ブタンジオール、１，５−ペンタンジオール、１，６−ヘキサンジオール、２，５−ヘキサンジオール、１，２−ヘキサンジオール、トリメチロールエタン、１，２−オクタンジオール、１，１０−デカンジオール、３−ヘキシン−２，５−ジオール、２，５−ジメチル−３−ヘキシン−２，５−ジオール、２，２，４−トリメチル−１，３−ペンタンジオール、ポリエチレングリコール、及びポリオキシプロピレングリコール等を挙げることができる。これらの中でも、トリメチロールプロパン及びエチレングリコールがより好ましい。これらのアルコール類は、１種を単独で、又は２種以上を組み合わせて用いることができる。
【００２７】
本実施形態に用いるアルコール類変性芳香族炭化水素ホルムアルデヒド樹脂は、柔軟性の観点から、アルコール類変性キシレンホルムアルデヒド樹脂、アルコール類変性トルエンホルムアルデヒド樹脂、及びアルコール類変性メシチレンホルムアルデヒド樹脂から選ばれる少なくとも１種を含むことが好ましく、アルコール類変性キシレンホルムアルデヒド樹脂を含むことがより好ましい。
【００２８】
本実施形態に用いるアルコール類変性芳香族炭化水素ホルムアルデヒド樹脂は、フェノール性水酸基（即ち、芳香族環に直接結合した水酸基）を実質的に含まないことが好ましい。「実質的に含まない」とは、アルコール類変性芳香族炭化水素ホルムアルデヒド樹脂の製造過程において、フェノール類（例えば、フェノール、ナフトール）を反応させることにより意図的にフェノール性水酸基を導入していないことを意味する。
【００２９】
アルコール類変性芳香族炭化水素ホルムアルデヒド樹脂は、市販品を用いてもよく、公知の方法により調製してもよい。市販品としては、例えば、フドー株式会社製の「Ｋ−１００」及び「Ｋ−１００Ｅ」が挙げられる。公知の方法としては、例えば、特開平０４−２２４８１５号公報に記載のように、芳香族炭化水素ホルムアルデヒド樹脂及びアルコール類を酸性触媒下で縮合反応させることにより製造することができる。
【００３０】
［アルコール類変性芳香族炭化水素ホルムアルデヒド樹脂の物性］
アルコール類変性芳香族炭化水素ホルムアルデヒド樹脂の水酸基価（ＯＨ価）は、６０〜２００ｍｇＫＯＨ／ｇであることが好ましく、６０〜１９０ｍｇＫＯＨ／ｇであることがより好ましく、７０〜１９０ｍｇＫＯＨ／ｇであることがさらに好ましい。水酸基価が６０ｍｇＫＯＨ／ｇ以上であることにより、より一層十分な粘接着性が得られる傾向にあり、２００ｍｇＫＯＨ／ｇ以下であることにより、生成するエポキシ樹脂の粘度をより一層低下できる傾向にある。水酸基価は、無水酢酸−ピリジン法（ＪＩＳ−Ｋ１５５７−１：２００７）に準拠した方法により測定できる。
【００３１】
アルコール類変性芳香族炭化水素ホルムアルデヒド樹脂の水酸基価が上記範囲内であることにより、得られるエポキシ樹脂の液状化、エポキシ樹脂としての特性（熱硬化性等）、及びアルコール類変性芳香族炭化水素ホルムアルデヒド樹脂の特性（柔軟性等）をバランスよく確保できる傾向にある。液状の芳香族炭化水素ホルムアルデヒド樹脂をアルコール類により変性させ、アルコール性水酸基の密度を高めると、アルコール類変性芳香族炭化水素ホルムアルデヒド樹脂は、不溶不融の固体となる傾向にある。その結果、得られるエポキシ樹脂もまた固体となり、芳香族炭化水素ホルムアルデヒド樹脂（特にキシレンホルムアルデヒド樹脂）固有の特性である柔軟性が損なわれる傾向にある。一方、エポキシ樹脂としての特性（例えば、熱硬化性等）を確保する観点からは、アルコール類変性芳香族炭化水素ホルムアルデヒド樹脂中のアルコール性水酸基の密度は一定量有する必要がある。このため、液状化、エポキシ樹脂としての特性（熱硬化性等）及び芳香族炭化水素ホルムアルデヒド樹脂の特性（柔軟性等）をバランスよく確保する観点から、水酸基価が上記範囲内であることが好ましい。
【００３２】
上述したように、本実施形態に用いるアルコール類変性芳香族炭化水素ホルムアルデヒド樹脂はフェノール性水酸基を実質的に含まないことが好ましい。したがって、本実施形態に用いるアルコール類変性芳香族炭化水素ホルムアルデヒド樹脂のフェノール性水酸基価は、好ましくは１０ｍｇＫＯＨ／ｇ以下であり、より好ましくは５ｍｇＫＯＨ／ｇ以下であり、さらに好ましくは２ｍｇＫＯＨ／ｇ以下である。
フェノール性水酸基価は、以下に記載の方法により測定できる。
＜フェノール性水酸基価（フェノール性ＯＨ価、ｍｇＫＯＨ／ｇ）の測定方法＞
三角フラスコに無水エチレンジアミン２５ｍＬをホールピペットではかりとり、о−ニトロアニリン指示薬２滴を加え、０．１Ｎナトリウムメチラート溶液で赤色になるまで滴定する。これに試料を加えて再び滴定し、次式により試料中のフェノール性水酸基価を計算する。
フェノール性水酸基価（ｍｇＫＯＨ／ｇ）＝Ａ×９４．１１×Ｆ／Ｗ
上記式中、Ａ：試料の滴定に要した０．１Ｎナトリウムメチラート溶液の量（ｍＬ）、Ｆ：ナトリウムメチラート溶液の規定度、Ｗ：サンプル量（ｇ）である。
【００３３】
本実施形態に用いるアルコール類変性芳香族炭化水素ホルムアルデヒド樹脂のＧＰＣにおける重量平均分子量は、ポリスチレン換算で、２００〜１，０００であることが好ましく、２００〜７５０であることがより好ましく、３００〜７５０であることがさらに好ましい。重量平均分子量が２００以上であることにより、柔軟性を有するエポキシ樹脂が得られる傾向にあり、１，０００以下であることにより、より一層低い粘度を有するエポキシ樹脂が得られる傾向にある。
【００３４】
本実施形態に用いるアルコール類変性芳香族炭化水素ホルムアルデヒド樹脂の２５℃における粘度は、３０，０００ｍＰａ・ｓ以下であることが好ましく、２０，０００ｍＰａ・ｓ以下であることがより好ましく、２００〜２０，０００ｍＰａ・ｓであることがさらに好ましい。粘度が３０，０００ｍＰａ・ｓ以下であることにより、得られるエポキシ樹脂の粘度をより一層低下できる傾向にある。
【００３５】
［エピハロヒドリン］
本実施形態に用いるエピハロヒドリンとして、エピクロロヒドリン、エピブロモヒドリン、エピヨードヒドリン等が挙げられるが、これらの中でも、反応性の観点から、エピクロロヒドリンが好ましい。
【００３６】
［エポキシ樹脂の製造方法］
以下、本実施形態のエポキシ樹脂の製造方法について詳細に説明する。本実施形態のエポキシ樹脂は、アルコール類変性芳香族炭化水素ホルムアルデヒド樹脂とエピハロヒドリンとを反応させて得られるものである。
【００３７】
エピハロヒドリンの使用量は、アルコール類変性芳香族炭化水素ホルムアルデヒド樹脂の水酸基１モルに対して、得られるエポキシ樹脂の収率の観点から、０．８〜１０．０モルであることが好ましく、０．９〜８．０モルであることがより好ましい。
【００３８】
アルコール類変性芳香族炭化水素ホルムアルデヒド樹脂とエピハロヒドリンとの反応は、例えば、アルカリ金属水酸化物の存在下で行われる。アルカリ金属水酸化物としては、特に限定されないが、例えば、水酸化ナトリウム及び／又は水酸化カリウムが挙げられる。これらのアルカリ金属水酸化物は、１種を単独で、又は２種以上を組み合わせて用いてもよい。これらの中でも、反応性の観点から、水酸化カリウムであることが好ましい。アルカリ金属水酸化物の使用量は、特に限定されないが、閉環反応を完了するという効果が得られる観点から、アルコール類変性芳香族炭化水素ホルムアルデヒド樹脂１００質量部に対して、２０〜１００質量部であることが好ましく、より好ましくは２０〜８０質量部である。アルカリ金属水酸化物は、反応系内に一括で仕込んでもよく、逐次的に仕込んでもよい。
【００３９】
反応の方法は、特に限定されず、例えば、アルコール類変性芳香族炭化水素ホルムアルデヒド樹脂を過剰のエピハロヒドリンに溶解させた後、水酸化カリウムなどのアルカリ金属水酸化物の存在下、６０〜１２０℃で０．５〜１０時間反応させればよい。
【００４０】
アルコール類変性芳香族炭化水素ホルムアルデヒド樹脂とエピハロヒドリンとの反応において、必要に応じて、反応に不活性な溶媒を用いてもよい。不活性な溶媒としては、例えば、炭化水素（例えば、ヘプタン及びトルエン）、及び非プロトン性極性溶媒（例えばジメチルスルホキシド、ジメチルアセトアミド、ジオキサン、ジメチルホルムアミド）が挙げられる。これらの溶媒は、１種を単独で、又は２種以上を組み合わせて用いることができる。
【００４１】
［エポキシ樹脂組成物］
本実施形態のエポキシ樹脂組成物は、本実施形態のエポキシ樹脂と、硬化剤とを含有し、本発明の効果を損なわない範囲で、さらに他のエポキシ樹脂や硬化促進剤等を含んでもよく、含まなくてもよい。
【００４２】
本実施形態で用いる硬化剤としては、特に制限はなく、一般的にエポキシ樹脂硬化剤として知られているものは全て使用できる。例えば、アミン系硬化剤、酸無水物系硬化剤、フェノール系硬化剤などが挙げられる。
【００４３】
前記アミン系硬化剤としては、本実施形態のエポキシ樹脂に含まれるグリシジル基と反応可能なアミノ基由来の活性水素を有する硬化剤であれば、特に限定されない。例えば、脂肪族ポリアミン化合物（例えば、エチレンジアミン、ジエチレントリアミン等）；芳香環を含有する脂肪族ポリアミン化合物（例えば、キシリレンジアミン等）；脂環族ポリアミン化合物（例えば、メンセンジアミン等）が挙げられる。これらのポリアミン化合物は、変性せずに混合してもよく、カルボキシル基を含有する化合物との反応によるアミド変性などの変性を行った後に混合してもよい。
【００４４】
前記酸無水物系硬化剤としては、特に限定されないが、例えば、無水フタル酸、無水トリメリット酸、無水ピロメリット酸、ヘキサヒドロ無水フタル酸、テトラヒドロ無水フタル酸、ドデセニル無水コハク酸、ポリアジピン酸無水物などが挙げられる。
【００４５】
前記フェノール系硬化剤としては、特に限定されないが、例えば、ビスフェノールＡ、ビスフェノールＦ、４，４’−ジヒドロキシジフェニルメタン、ビスフェノールＡノボラック、ｏ−クレゾールノボラック、キシレノールノボラック、ハイドロキノン、レゾルシノン、カテコール、１，６−ジヒドロキシナフタレン、２，６−ジヒドロキシナフタレンなどが挙げられる。
【００４６】
上記硬化剤は、１種のみで用いてもよく、２種以上を任意に組み合わせてもよい。複数を組み合わせる場合、それらの含有比率も任意であってよい。また、本実施形態のエポキシ樹脂及びその他のエポキシ樹脂の総量１００質量部（その他のエポキシ樹脂を含まない場合は、本実施形態のエポキシ樹脂１００質量部）に対し、５．０〜１５．０質量部程度であってもよい。
【００４７】
硬化促進剤としては、特に限定されないが、例えば、ジシアンジアミド、アミンをエポキシ樹脂等に付加したアミン付加型促進剤等の高融点分散型潜在性促進剤；イミダゾール系、リン系、ホスフィン系促進剤の表面をポリマーで被覆したマイクロカプセル型潜在性促進剤；アミン塩型潜在性硬化促進剤等が挙げられる。これらの硬化促進剤の含有量は、本発明の作用効果を損なわない範囲であれば、特に限定されず、例えば、エポキシ樹脂１００質量部に対し、０．１〜２．０質量部程度であってもよい。
【００４８】
他のエポキシ樹脂としては、脂環式アルコール類から誘導されるエポキシ樹脂、芳香族アルコール類(フェノール類)から誘導されるエポキシ樹脂、あるいは脂環式エポキシ樹脂のいずれであってもよい。具体的には、ビスフェノールＡ型から誘導されたグリシジルエーテル部位を有するエポキシ樹脂、ビスフェノールＦ型から誘導されたグリシジルエーテル部位を有するエポキシ樹脂、分子内にエポキシシクロヘキシル環を有する脂環式エポキシ樹脂などが挙げられる。この中でも、粘度や入手容易性の観点から、ビスフェノールＡ型から誘導されたグリシジルエーテル部位を有するエポキシ樹脂が特に好ましい。本実施形態のエポキシ樹脂組成物が他のエポキシ樹脂を含有する場合、他のエポキシ樹脂の含有量は、本実施形態のエポキシ樹脂１００質量部に対し、３０〜２００質量部程度であってもよい。
【００４９】
本実施形態のエポキシ樹脂組成物における本実施形態のエポキシ樹脂および他のエポキシ樹脂の合計の配合量は、硬化剤の活性水素当量に対するエポキシ樹脂のエポキシ当量の比として、０．３〜１．５であることが好ましく、０．４〜１．２であることがより好ましい。エポキシ樹脂の配合量を上記範囲内にすると、硬化物の架橋度を十分な程度とすることができる。
【００５０】
本実施形態のエポキシ樹脂組成物には、本発明の実施形態の効果を損なわない範囲で、用途に応じて充填剤、可塑剤等の改質成分、反応性又は非反応性の希釈剤、揺変性付与剤等の流動調製成分、顔料等の成分や、ハジキ防止剤、流展剤、消泡剤、紫外線吸収剤等の添加剤を用いることができる。
【００５１】
本実施形態のエポキシ樹脂組成物の硬化物は、公知の種々の方法により得ることができ、常温で硬化させてもよく、加熱により硬化させてもよい。常温で硬化させる場合は、硬化時間は、１日〜５日程度であってもよい。加熱の条件は、エポキシ樹脂や、該樹脂を含む組成物中の各成分や、該樹脂および各成分の含有量に応じて適宜選択すればよいが、好ましくは６０〜１２０℃で９０分間〜１５０分間の範囲、より好ましくは７０〜９０℃で１００分間〜１４０分間の範囲で選択される。
【実施例】
【００５２】
以下の実施例及び比較例により本発明を更に詳しく説明するが、本発明は以下の実施例により何ら限定されるものではない。本実施例及び比較例で採用した評価方法は以下の通りである。【００５３】
＜エポキシ当量＞
ＪＩＳ−Ｋ７２３６：２００９に準拠してエポキシ樹脂のエポキシ当量を測定した。【００５４】
＜ハロゲン含有量＞
三角フラスコに試料０．５ｇを秤量し、１Ｎ  ＫＯＨ２０ｍＬを加え、完全に溶解した。その後、三角フラスコに冷却管を取り付け、オイルバス中で１時間煮沸還流した。１Ｎ  ＫＯＨは事前に１Ｌメスフラスコに水酸化カリウム５６．１ｇを秤量し、エタノール５００ｍＬとジオキサン５００ｍＬを混合した液で溶解し、調製した。その後、三角フラスコを冷却し、酢酸１２ｍＬを加えた。そして、０．００１Ｎ硝酸銀標準溶液を用い、電位差滴定装置にて滴定した。次式により、試料中の加水分解性ハロゲンの含有量を計算した。
加水分解性ハロゲンの含有量（ｐｐｍ）＝（（Ａ−Ｂ）×３５．５×Ｎ×Ｆ×１０００）／Ｗ
上記式中、Ａ：試料の滴定に要した０．００１Ｎ硝酸銀標準溶液の量（ｍＬ）、Ｂ：空試験の滴定に要した０．００１Ｎ硝酸銀標準溶液の量（ｍＬ）、Ｎ：硝酸銀標準溶液の規定度、Ｆ：硝酸銀標準溶液の力価、Ｗ：サンプル量（ｇ）である。【００５５】
＜粘度＞
回転型粘度計を使用して、ＪＩＳ−Ｋ６８３３−１：２００８に準拠して測定した。【００５６】
＜重量平均分子量＞
ＧＰＣ分析により、ポリスチレン換算の重量平均分子量（Ｍｗ）を求めた。分析に用いた装置等及び分析条件は下記の通りとした。
装置：Ｓｈｏｄｅｘ  ＧＰＣ−１０１型（昭和電工株式会社製、製品名）
カラム：Ｓｈｏｄｅｘ  ＫＦ−８０１×２、ＫＦ−８０２．５、ＫＦ−８０３Ｌ
溶離液：テトラヒドロフラン
流速：１．０ｍｌ／ｍｉｎ．
カラム温度：４０℃
検出器：ＲＩ（示差屈折検出器）【００５７】
＜引張せん断接着強さ＞
引張せん断接着強さ（ＭＰａ）はテストピースに１．６×２５×１００ｍｍのアルミニウム板を採用し、塗布面積２５×１０ｍｍ、引張速度２ｍｍ／ｍｉｎ．にて、試験を実施した。【００５８】
＜柔軟性＞
ＪＩＳ−Ｋ５６００−５−１：１９９９に準拠して、芯棒に硬化膜を形成した鋼板を巻きつけ、下記基準に基づいて評価した。
○：直径２ｍｍの芯棒で硬化膜に割れや剥がれがない
×：直径３２ｍｍの芯棒で硬化膜に割れや剥がれが生じる【００５９】
＜実施例１＞
攪拌装置、温度計、滴下漏斗を備えた内容積５００ｍＬの丸底フラスコに、アルコール類変性芳香族炭化水素ホルムアルデヒド樹脂としてフドー株式会社製のエチレングリコール変性キシレン樹脂「Ｋ−１００Ｅ」（水酸基価：１８３ｍｇＫＯＨ／ｇ、フェノール性水酸基価：０．９ｍｇＫＯＨ／ｇ、重量平均分子量：３７６）を４０ｇ、ジメチルスルホキシドを１２０ｍＬ、水酸化カリウムを２７．８ｇ仕込み、４０℃に昇温して攪拌した後、エピクロロヒドリン６８．９ｇを１時間かけて滴下した。滴下終了後昇温し、６５℃で３時間保持し、反応を完了させ、メチルイソブチルケトンを加え、水洗により副生塩及び過剰の水酸化カリウムを除去した。次いで、生成物から減圧下で過剰のエピクロロヒドリンとメチルイソブチルケトンを留去して、粗製エポキシ樹脂を得た。この粗製エポキシ樹脂をジメチルスルホキシド１２０ｍＬに溶解させ、水酸化カリウム０．６２ｇを加え、６５℃の温度で３時間再び反応させた。その後、反応液に第一リン酸カリウム水溶液を加えて過剰の水酸化カリウムを中和し、メチルイソブチルケトンを加えて水洗して副生塩を除去した。次いで、減圧下で過剰のメチルイソブチルケトンを完全に除去して、目的のエポキシ樹脂Ａを得た。得られたエポキシ樹脂Ａにおいて、エポキシ当量は４１２ｇ／ｅｑ．であり、エポキシ樹脂Ａ中の塩素含有量は３９１質量ｐｐｍであり、２５℃における粘度は２７７ｍＰａ・ｓであり、重量平均分子量は４４２であった。【００６０】
＜実施例２＞
アルコール類変性芳香族炭化水素ホルムアルデヒド樹脂として、フドー株式会社製のエチレングリコール変性キシレン樹脂「Ｋ−１００Ｅ」に代えて、フドー株式会社製のトリメチロールプロパン変性キシレン樹脂「Ｋ−１００」（水酸基価：８８ｍｇＫＯＨ／ｇ、フェノール性水酸基価：１．３ｍｇＫＯＨ／ｇ以下、重量平均分子量：６１６）を５０ｇ用いたこと、ジメチルスルホキシドの仕込み量を１００ｍＬに変えたこと、１回目の水酸化カリウムの仕込み量を１７．６ｇに変えたこと、エピクロロヒドリンの仕込み量を４３．６ｇに変えたこと、２回目の水酸化カリウムの仕込み量を０．４ｇに変えたこと以外は、実施例１と同様にして、エポキシ樹脂Ｂを得た。得られたエポキシ樹脂Ｂにおいて、エポキシ当量は８９１ｇ／ｅｑ．であり、エポキシ樹脂Ｂ中の塩素含有量は、３０２質量ｐｐｍであり、２５℃における粘度は１７,２７０ｍＰａ・ｓであり、重量平均分子量は６８９であった。【００６１】
＜実施例３、４及び比較例１、２＞
実施例１、２で得られたエポキシ樹脂Ａ及びＢ、ビスフェノールＡ型エポキシ樹脂（三菱ケミカル株式会社製品「エピコート８２８」）、熱可塑性樹脂（フドー株式会社製品「Ｋ−１００Ｅ」）、硬化剤（三菱瓦斯化学株式会社製品「メタキシリレンジアミン」）をそれぞれ用いて、下記表１に示す割合（表中の数字は質量部）にて各エポキシ樹脂組成物を配合した。これらのエポキシ樹脂組成物を用いて、表１に示す硬化条件にて硬化させ、上記の各評価試験を実施した。結果を表１に示す。【００６２】
【表１】
2020044787.tif 000002
【００６３】
通常、接着剤用に用いられるエポキシ樹脂（「エピコート８２８」）を用いた比較例１では、実施例３及び４と比較して引張せん断接着強さが低かった。これは、比較例１ではアルコール変性芳香族炭化水素ホルムアルデヒド樹脂由来の芳香環核（キシレン核）を有しておらず、柔軟性が十分でないことに起因するものと推測されるが、本発明はこの推測により、何ら限定されない。また、エポキシ化していないアルコール類変性芳香族炭化水素ホルムアルデヒド樹脂を用いた比較例２も、実施例３及び４と比較して、引張せん断接着強さが低かった。
【国際調査報告】
2020044787.tif 000003
2020044787.tif 000004
2020044787.tif 000005
2020044787.tif 000006